(57)【要約】      （修正有）【課題】ビス止め等の固定ができない壁に沿って介護用手摺り装置を提供する。【解決手段】壁に沿って所要間隔にポール１を立設し、その各ポール１間に手摺り４０を設けた介護用手摺り装置であって、上記ポール１は、床面Ｆに固定される床面固定具２０と、天井面Ｃに固定される天井面固定具３０と、前記床面Ｆと天井面Ｃとの間に設けられるポール１と、そのポール１を前記床面固定具２０と天井面固定具３０との間で突っ張らせて床面と天井面の間に固定する突張力付与機構とからなる縦型介護用ポール装置Ｂの前記ポール１としたもの。【選択図】図１
0003224946.tif 000002
【実用新案登録請求の範囲】
【請求項１】
壁（Ｗ）に沿って所要間隔（Ｔ）にポール（１）を立設し、その各ポール（１）間に手摺り（４０）を設けた介護用手摺り装置であって、
上記ポール（１）は、床面（Ｆ）に固定される床面固定具（２０）と、天井面（Ｃ）に固定される天井面固定具（３０）と、前記床面（Ｆ）と天井面（Ｃ）との間に設けられるポール（１）と、そのポール（１）を前記床面固定具（２０）と天井面固定具（３０）との間で突っ張らせて床面と天井面の間に固定する突張力付与機構とからなる縦型介護用ポール装置（Ｂ）の前記ポール（１）とした介護用手摺り装置。
【請求項２】
上記壁（Ｗ）に出入口（Ｄ）がある場合は、その出入口（Ｄ）に対応する手摺り（４０）をその一端を回転自在に上記ポール（１）に取り付け、他端をポール（１）に着脱可能として前記手摺り（４０）を上下方向に揺動可能として、前記出入口（Ｄ）から前記手摺り（４０）を退去可能とした介護用手摺り装置。
【請求項３】
上記各ポール（１）に壁（Ｗ）から突出する方向のアーム金具（４５）を取り付け、そのアーム金具（４５）に手摺り（４０）を設けた請求項１又は２に記載の介護用手摺り装置。
【考案の詳細な説明】
【技術分野】
【０００１】
この考案は、壁に沿って手摺りを設けた介護用手摺り装置に関するものである。
【背景技術】
【０００２】
介護施設や病院等において、足の弱った人が、廊下や階段等の壁に沿った箇所を安全に歩くため、その壁に沿って手摺りが設けられている。その壁に取り付ける手摺りは、壁にブラケットをビス止め等によって固定し、そのブラケットに手摺りを固定している（特許文献１、図１、図４、特許文献２図１、図５等参照）。
【先行技術文献】
【特許文献】
【０００３】
【特許文献１】特開２００４-１１６０１１号公報
【特許文献２】特開２００５-１１３５８０号公報
【特許文献３】実用新案登録第３２１５２２７号公報
【特許文献４】実用新案登録第３２２２８６１号公報
【考案の概要】
【考案が解決しようとする課題】
【０００４】
何らかの事情によって、壁にビス止めができずに手摺り用ブラケットを取り付け得ない場合がある。
この考案は、以上の実情の下、壁にビス止めができずに手摺り用ブラケットを取り付け得ない場合においても、壁に沿って手摺りを設け得るようにすることを課題とする。
【課題を解決するための手段】
【０００５】
上記課題を達成するために、この考案は、手摺りを取り付けるためのポールを壁に沿って所要間隔に設け、その各ポール間に手摺りを設けることとしたのである。
そのポールは、出願人が特許文献３、４等で提案している、床面に固定される床面固定具と、天井面に固定される天井面固定具と、前記床面と天井面との間に設けられるポールと、そのポールを前記床面固定具と天井面固定具との間で突っ張らせて床面と天井面の間に固定する突張力付与機構と、からなる縦型介護用ポール装置等における前記ポールを採用し得る。
【０００６】
上記壁に出入口がある場合は、その出入口に対応する手摺りをその一端を回転自在に上記ポールに取り付け、他端をポールに着脱可能として前記手摺りを上下方向に揺動可能とする。
また、上記各ポールに壁から突出する方向のアーム金具を取り付け、そのアーム金具に手摺りを設けるようにすれば、壁及びポールから離れた位置に手摺りが位置するため、手摺りに伝って歩く際、ポールが邪魔にならない。
【０００７】
この考案は、以上のように構成して、ポールでもって壁に沿って手摺りを取付け可能としたので、従来になかった介護用手摺り装置となる。
【図面の簡単な説明】
【０００８】
【図１】この考案に係る介護用手摺り装置の一実施形態の概略正面図
【図２】同実施形態の切断概略平面図
【図３】同実施形態のアーム金具の斜視図
【図４】同実施形態の手摺り回転部の斜視図
【図５】同実施形態の手摺り回転部の要部分解斜視図
【図６】同実施形態の手摺り支持部の斜視図
【考案を実施するための形態】
【０００９】
この考案に係る介護用手摺り装置の一実施形態を図１〜図６に示し、この介護用手摺り装置Ａは、壁Ｗに沿って手摺り４０をポール装置Ｂを介して設けた構成である。その壁Ｗには掃き出し窓、人の出入口Ｄ、物の出し入れ口等が形成されている。
ポール装置Ｂはその出入口Ｄ等を挟んで所要数、所要間隔Ｔで設けられている。この実施形態においては、出入口Ｄの両側に一対、さらにその両側方にそれぞれ設けているが、図１において、手摺り４０を必要である長さにおいてポール装置Ｂを所要数設置し、その間隔Ｔも適宜に設定する。
その各ポール装置Ｂは、従来と同様に、上下方向のポール１と、そのポール１の上下端に設けた床面Ｆに固定される床面固定具２０及び天井面Ｃに固定される天井面固定具３０とからなる。
【００１０】
ポール１は、鋼管パイプ等の中空管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される（特許文献３、段落００１５参照）。
【００１１】
その接続締結金具１０は、円筒状半割リング１１、１１の対からなり、その各リング１１の両側にはそれぞれフランジ１２が設けられている。対向するフランジ１２には同一軸上の孔が形成されて、その一方がタッピングねじ孔となっている（本願図４、図６参照）。半割リング１１は軸方向中程で肉薄となって段差が形成されている。
このため、この対の円筒状となった半割リング１１に他方（下側）のポール部材１ｂを嵌めると、その段差にポール部材１ｂの上端が係止して、その上端に接続締結金具１０が取付けられる。接続締結金具１０は、対向するフランジ１２の一方の孔にボルトを差し込んで同他方の孔にねじ込むことによって両リング１１が締まって（縮径して）接続締結機能を発揮する（特許文献３段落００１６〜同００１７、同図３参照）。
【００１２】
ポール１の長さ（両台座２１、３２の間隔）は、床面Ｆと天井面Ｃとの間隔より少し短い程度になるように、両ポール部材１ａ、１ｂをその軸方向に嵌め込んで接続締結金具１０で一体とする。この締結は、他方のポール部材１ｂに一方のポール部材１ａを嵌め込んで所要の長さにした後、その嵌め込み部に接続締結金具１０を嵌めて行ったり、他方のポール部材１ｂの上端にこの接続締結金具１０を落ちない程度に嵌め込み、その状態で、一方のポール部材１ａを他方のポール部材１ｂに嵌め込んで所要の長さにした後、その嵌め込み状態で接続締結金具１０のボルトをねじ込んで行ったりする。
【００１３】
床面固定具２０は、木製集合板からなる台座２１とその台座２１に設けた突張力付与機構（図示せず）とからなる。この突張力付与機構の構成は、特許文献３段落００１８〜００２３、同図４〜図６等に示す公知のものを使用する。すなわち、その特許文献３の記載を参照して、その機構のジャッキコマを回転して回転防止コマを上昇させ、他方のポール部材１ｂを上方に持ち上げ、このポール部材１ｂの上昇につれて天井面固定具３０が天井面Ｃに強固に押し付けられてポール１が不動になる。
【００１４】
天井面固定具３０は、天井面Ｃに宛がわれる長尺長方形の基板３１と、その基板３１の長さ方向に移動・固定される移動板３２と、その移動板３２にそれぞれ固定可能な取付板３３とからなって、伸縮型天井補強板を構成する。その移動板３２等の構成は、特許文献４段落００２１〜００２５、図６〜図１０に記載の公知の構造である。図１中、３４はカバーである。基板３１は、この介護用手摺り装置Ａの全長に亘らなくても、移動板３２をある程度移動し得る長さを有すれば、各ポール装置Ｂに対応する適宜な長さとし得る。この実施形態においては、隣り合うポール装置Ｂ、Ｂの一方のポール装置Ｂの移動板３２に中程で切れる長さとしている。移動板３２の基板３１を介した位置調整が不要であれば、この基板３１は省略し得る。
【００１５】
この床面固定具２０及び天井面固定具３０を設けたポール装置Ｂは、まず、上下の床面固定具２０と天井面固定具３０との間隔（ポール１の自然長）が床面Ｆと天井面Ｃの間隔の少し短い長さとして、このポール１を床面Ｆと天井面Ｃの間に位置させる。
その状態で、突張力付与機構によってポール１を天井面Ｃと床面Ｆに突っ張らせて固定する。
【００１６】
この構成の各ポール装置Ｂの間に手摺り４０が設けられている。この手摺り４０はその両端をポール１から前方に突出したアーム金具４５によって支持されて、ポール１に取り付けられている。
アーム金具４５は、図３に示すように、手摺り４０の端部が嵌る筒状部４６と、その筒状部４６から横方向に突出したアーム筒４７と、そのアーム筒４７の端に設けた接続金具４８とからなる。アーム筒４７の長さＬは手摺り４０を伝って歩く際、ポール１が邪魔にならないように適宜に設定する。
【００１７】
その接続金具４８は、上記接続締結金具１０と同一の構成であり、同一物を同一符号で示し、その作用は前記接続締結金具１０と同様であり、対向するフランジ１２の一方の孔にボルト１４を差し込んで同他方の孔にねじ込むことによって両リング１１が締まってポール１に取り付けられる。
この接続金具４８は、開閉する手摺り４０の端以外に使用され、この実施形態では、両端のポール１への取り付けに使用されており、その側方には手摺り４０がないため、筒状部４６の一端にはキャップ４９が被されている。その側方にさらに手摺り４０を設ける場合には、さらに、ポール装置Ｂを設け、アーム金具４５、接続金具４８を介して手摺り４０を延長する。
【００１８】
出入口Ｄに対応する手摺り４０は、その一端が回転可能となり、他端が着脱可能となって、その出入口Ｄを開閉可能にしている。このため、この手摺り４０の一端は起伏（回動）自在に支持する回転部５０を有し、横方向に延びた手摺り４０を支持する支持部６０を他方の端のアーム金具４５に備えている。
【００１９】
その回転部５０は、図４、図５に示すように、逆コ字状の金属製取付板５１と、手摺り４０の端に固定の円柱状回転駒５２と、その回転駒５２の両側に宛がわれるワッシャー５３と、回転軸５４と、その回転軸５４の両端にねじ込み固定されるナット５５とから成る。取付板５１は少なくともワッシャー５３に接する面には樹脂コーティングが施されている。ナット５５はハードロック（ハードロック工業株式会社の登録商標）ナットを使用する。回転駒５２及びワッシャー５３は強靱な樹脂からなる。その樹脂は、耐摩耗性を有して所要の硬度及び摺動抵抗を持った、例えば、６ナイロンと呼ばれるポリアミド樹脂等であり、この実施形態においては、ＭＣナイロン（クオドラントポリペンコジャパン株式会社の商標登録、一般名称：モノマーキャストナイロンというエンジニアリングプラスチック）を採用した。取付板５１の樹脂コーティングもＭＣナイロンとすることができる（特許文献４段落００３０〜００３２、図２〜図３参照）。
【００２０】
この回転部５０は、図４に示す、各部品５１、５２、５３、５４、５５において、図４に示すように、取付板５１にワッシャー５３を介在して回転駒５２を嵌め込み、回転軸５４を取付板５１の一方の立片５１ａ、ワッシャー５３、回転駒５２、ワッシャー５３、取付板５１の他方の立片５１ｂに貫通し、その回転軸５４の両端にナット５５をねじ込む。このねじ込みによって、取付板５１に回転駒５２を介して手摺り４０が回動（揺動）可能に取付けられる。
回転駒５２にも手摺り４０の端が溶接等によって固定される。また、取付板５１の一方の立片５１ａに筒状部４６を除去したアーム金具４５のアーム筒４７が溶接等によって固定されている。溶接に代えて、フランジを介したボルト（ビス）止めとし得る（図４符号５１ｃ、１１ｂ参照）。
この回転部５０もアーム金具４５、接続金具４８によってポール１に取り付けられる。
【００２１】
支持部６０は、図６に示すように、アーム金具４５に固定される一方の部材６１と、手摺り４０の端部が嵌る有底円筒体の他方の部材６７とからなる。両部材６１、６７は金属や硬質樹脂等の機械的強度を有するものとする。
一方の部材６１は、筒状体６２の一の端面に取付板６３を有し、この取付板６３でもって上記接続金具４８等と同様にしてポール１に締結されたアーム金具４５によりポール１に取り付けられる。筒状体６２は一側面から他側面に向かって半径方向の長方形溝６２ａが形成され、その奥に爪材６４が溝６２ａに直交方向の摺動溝を介して横方向（側面方向）に出没自在に設けられている。この爪材６４は、図示しないばねによって突出方向に付勢されているとともに、抜け出ない程度に突出する。
【００２２】
他方の部材６７は、有底円筒体６８とその底壁表面から突出した連結片６９とからなる。その連結片６９の両側面に溝６９ａが形成されており、この連結片６９を一方の部材６１の溝６２ａに上方から（図４において上方から下方に）嵌め込むと、爪材６４がばねに抗して後退し、やがてばねによりその三角状部が前記溝６９ａに嵌って、両部材６１、６７の抜け出しを防止（抜け止め）する。爪材６４の頭部６４ｂを押して三角状部を溝６９ａから退去させれば、両部材６１、６７は切り離すことができる。
この他方の部材６７の円筒体６８に手摺り４０の端部を嵌め込み、円筒体６８の底壁の孔からビスをねじ込んでこの支持部６０に手摺り４０の端部を固定する（特許文献４段落００３３〜同００３４、図４等参照）。
【００２３】
この実施形態の介護用手摺り装置Ａは以上の構成であり、図１、図２に示すように、壁Ｗに沿って所要間隔Ｔでポール装置Ｂを立設し、その各ポール装置Ｂの間に手摺り４０を設ける。このとき、出入口Ｄに位置する手摺り４０は、上下方向に揺動可能なものとする。
その手摺り４０は、実線で示す状態に手摺り４０を下ろして支持部６０に嵌め込み支持し、手摺り４０を水平にして使用する。この手摺り４０を下ろす際、手摺り４０は所要の抵抗力を持って上下方向に回動（揺動）可能となっているため、手で動かさない限り、その回動が行われない。また、水平状態の手摺り４０は、支持部６０に支持されて下方への揺動が阻止され、その支持部６０と回転部５０との２点で支持されるため、その水平状態は横揺れなく安定する。
【００２４】
この水平状態において、出入口Ｄを使用する等の手摺り４０が邪魔になるなどの場合、同図鎖線で示すように、手摺り４０を立ち上げて（同図矢印方向）出入口Ｄを開放する。その手摺り４０の立ち上げ時、何らかの事情により、手摺り４０から手を離したり、よろけたりして、手摺り４０への支持力がなくなっても、ナット５５による締結トルクによって、回転駒５２とワッシャー５３とは圧接力（抵抗力）を持っているため、手摺り４０は不意に動くこともなく、安心である。
【００２５】
上記接続締結金具１０、接続金具４８、床面固定具（突張力付与機構）２０、天井面固定具（弾性支持機構）３０等の他の構成は、上記の態様に限定されるものではなく、例えば、床面固定具２０は突張力付与機構を省略したり等することができる。
また、上記実施形態は、床面固定具２０内の突張力付与機構によってポール１を床面Ｆと天井面Ｃに突っ張らせて固定したが、特許文献３に示すように、基板３１、移動板３２とポール１（回転防止コマ）との間に弾性支持機構を設けたものとすることができる（特許文献３段落００２４〜００２９、図６〜図８Ｄ等参照）。
【００２６】
なお、ポール１、金具１０、４８、アーム金具４５等は金属でも樹脂でもいずれでも良い。
また、上記実施形態は、ポール１から突出したアーム金具４５によって手摺り４０をポール１に取り付けたが、接続締結金具１０の円筒状半割リング１１、１１のそれぞれの表面に筒状部４６を突出させて設け、その両筒状部４６が手摺り４０の筒軸方向となるように、その接続締結金具１０をポール１に取り付ければ、ポール１から手摺り４０は離れないが、各ポール１に沿った手摺り４０を得ることができる。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２７】
Ａ  介護用手摺り装置
Ｂ  ポール装置
Ｃ  天井面
Ｆ  床面
１  ポール
１０  ポールの接続締結金具
２０  床面固定具
２１  床面用台座
３０  天井面固定具
４０  手摺り
４５  アーム金具
４８  接続金具
【図１】
0003224946.tif 000003
【図２】
0003224946.tif 000004
【図３】
0003224946.tif 000005
【図４】
0003224946.tif 000006
【図５】
0003224946.tif 000007
【図６】
0003224946.tif 000008
【手続補正書】
【提出日】令和1年11月21日(2019.11.21)
【手続補正１】
【補正対象書類名】実用新案登録請求の範囲
【補正対象項目名】全文
【補正方法】変更
【補正の内容】
【実用新案登録請求の範囲】
【請求項１】
壁（Ｗ）に沿って所要間隔（Ｔ）にポール（１）を立設し、その各ポール（１）間に手摺り（４０）を設けた介護用手摺り装置であって、
上記ポール（１）は、床面（Ｆ）に固定される床面固定具（２０）と、天井面（Ｃ）に固定される天井面固定具（３０）と、前記床面（Ｆ）と天井面（Ｃ）との間に設けられるポール（１）と、そのポール（１）を前記床面固定具（２０）と天井面固定具（３０）との間で突っ張らせて床面と天井面の間に固定する突張力付与機構とからなる縦型介護用ポール装置（Ｂ）の前記ポール（１）とした介護用手摺り装置。
【請求項２】
上記壁（Ｗ）に出入口（Ｄ）がある場合は、その出入口（Ｄ）に対応する手摺り（４０）をその一端を回転自在に上記ポール（１）に取り付け、他端をポール（１）に着脱可能として前記手摺り（４０）を上下方向に揺動可能として、前記出入口（Ｄ）から前記手摺り（４０）を退去可能とした請求項１に記載の介護用手摺り装置。
【請求項３】
上記各ポール（１）に壁（Ｗ）から突出する方向のアーム金具（４５）を取り付け、そのアーム金具（４５）に手摺り（４０）を設けた請求項１又は２に記載の介護用手摺り装置。